(57)【要約】【課題】利用者の利便性を向上させ、駐車場業者の収益を向上させる。【解決手段】車両ＩＤ、入札料金、車両位置あるいは／および最大許容料金を含む応募情報Ｐ１、Ｐ２を送信する無線通信手段１８と車両１２、１３の現在位置を取得する自車位置取得手段２０と入札料金あるいは／および最大許容料金を設定する入力手段２１とを有する車載機１６と、応募情報Ｐ１、Ｐ２を受信する通信手段２５と複数の駐車場１４、１５の空車情報を更新している駐車場データベース２６とを有するサーバ１１と、駐車場１４、１５の空車状況を取得する空車検出手段３１と該空車情報をサーバ１１に送信する通信手段２９とを有する駐車場装置２７とを備え、サーバ１１は車載機１６から受信した応募情報Ｐ１、Ｐ２を基に、最も高い料金を示す車両１３あるいは駐車場１４から最も近くにいる車両１３の車載機１６に駐車場１４の予約情報Ｐ５を送信する。【選択図】  図５
2004348632.tif 000002
【特許請求の範囲】
【請求項１】
車両に搭載された車載機および駐車場に設置された駐車場装置がネットワークを介してサーバに接続され、該サーバが上記車載機から受信した応募情報に応じて車両に駐車場を紹介する駐車場予約システムであって、
上記車載機は、現在の車両位置を取得する自車位置取得手段と、入札料金あるいは／および最大許容料金を設定する入力手段と、入札料金、車両位置あるいは／および最大許容料金と車両ＩＤを含む上記応募情報を送信する無線通信手段とを備え、
上記駐車場装置は、上記駐車場の空車情報を取得する空車検出手段と、上記ネットワークを介して該空車情報を上記サーバに送信する通信手段とを備え、
上記サーバは、上記応募情報をネットワークを介して受信する通信手段と、複数の駐車場の空車情報を記憶・更新している駐車場データベースとを備え、
上記サーバは、複数の上記車載機から受信した上記応募情報を基に、最も高い料金を提示する車両、あるいは、駐車場から最も近くにいる車両の上記車載機に該駐車場を落札した旨の予約情報を送信することを特徴とする駐車場予約システム。
【請求項２】
上記サーバから上記車載機に送信される上記予約情報は、入庫ＩＤと予約駐車場情報とを含んでおり、上記駐車場を予約した車両が上記駐車場に入庫する際には、上記入庫ＩＤを照会して駐車場への入庫を許可している請求項１に記載の駐車場予約システム。
【発明の詳細な説明】
【０００１】
【発明の属する技術分野】
本発明は、駐車場予約システムに関し、詳しくは、ネットワークを介して車両に駐車場を紹介する駐車場予約システムに関する。
【０００２】
【従来の技術】
従来、車両の運転者が時間貸駐車場を利用しようとする場合、沿道等に表示されたパーキングマークを探しながら運転し、実際に駐車場に行って利用可能かどうかを確認しているので、満車の場合には次の駐車場を探しに行かねばならず、周辺の駐車場が混雑している際には、大きな時間と手間が掛かる問題があった。
よって、車両に搭載されたカーナビゲーション装置等の車載機で予め周辺の駐車場の情報が取得でき、かつ、その駐車場の空車情報が得られれば、駐車場利用者にとって非常に便利である。
【０００３】
例えば、特開２００１−２８３３８７号公報で開示されたシステムは、車両に搭載された車載装置２と、車載装置２と無線通信し駐車場の満車・空車情報を管理するサーバ３を備えた駐車場情報提供システム１とを備えている。車両が駐車場に駐車すると、車載装置２は駐車信号と自車位置検出信号をサーバ３に送信し、サーバ３では自車位置に該当する駐車場に車両が駐車したと判断して、駐車場データベース４の当該駐車場の満空情報を更新して、ユーザにリアルタイムで駐車場情報を提供している。
【０００４】
【特許文献１】
特開２００１−２８３３８７号公報
【０００５】
【発明が解決しようとする課題】
しかしながら、駐車場の満車情報をユーザからの要求に応じてリアルタイムで提供することができるものの、車両を運転するユーザが現在位置の周辺に存在する各駐車場の存在が分からなければ、夫々の駐車場に対する満車情報の要求を行うことができない問題がある。
また、運転者が急いでいる場合等には最も近くの利用可能な駐車場を知りたいというニーズや、混雑時には急いでいない人に先駆けて優先的に駐車場を利用させてもらいたいというニーズもある。
一方、駐車場業者の視点に立てば、少しでも空車時間を低減し、ユーザに高い利用料金で駐車場を使用してもらって収益を上げることが望まれる。
【０００６】
本発明は、上記問題に鑑みてなされたもので、駐車場利用者の利便性を向上させると共に、駐車場業者の収益の向上にも貢献できるようなシステムを提案することを課題としている。
【０００７】
【課題を解決するための手段】
上記課題を解決するため、本発明は、車両に搭載された車載機および駐車場に設置された駐車場装置がネットワークを介してサーバに接続され、該サーバが上記車載機から受信した応募情報に応じて車両に駐車場を紹介する駐車場予約システムであって、
上記車載機は、現在の車両位置を取得する自車位置取得手段と、入札料金あるいは／および最大許容料金を設定する入力手段と、入札料金、車両位置あるいは／および最大許容料金と車両ＩＤを含む上記応募情報を送信する無線通信手段とを備え、
上記駐車場装置は、上記駐車場の空車情報を取得する空車検出手段と、上記ネットワークを介して該空車情報を上記サーバに送信する通信手段とを備え、
上記サーバは、上記応募情報をネットワークを介して受信する通信手段と、複数の駐車場の空車情報を記憶・更新している駐車場データベースとを備え、
上記サーバは、複数の上記車載機から受信した上記応募情報を基に、最も高い料金を提示する車両、あるいは、駐車場から最も近くにいる車両の上記車載機に該駐車場を落札した旨の予約情報を送信することを特徴とする駐車場予約システムを提供している。
【０００８】
上記構成とすると、複数の車両の車載機から送信された応募情報を基に所謂オークションを行い、最も高い入札料金あるいは最も高い最大許容料金を提示した車両に駐車場の予約を与えることで、駐車場業者は収益を高めることができる利点がある。一方、駐車場の利用者である運転者にとっても、高い料金を設定することで緊急時や混雑時などでも駐車場を確保できる確率がアップし、駐車場利用の利便性が向上する。
また、現在の車両位置を上記応募情報に含めて車載機から送信することで、サーバで駐車場から最も近くに存在する車両を選択して駐車場の予約を与えることができ、駐車場の空車時間を低減して利用効率を上げることが可能となる。一方、駐車場の利用者である運転者にとっても、最も近くの駐車場を紹介してくれるので、駐車場に行き着くまでの時間を短縮でき利便性が向上する。
なお、高い入札料金を提示した車両を優先させて駐車予約を与えるか、駐車場の近くに存在する車両を優先させて駐車予約を与えるかは、駐車場業者の方針等により適宜決定するとよい。
【０００９】
上記サーバから上記車載機に送信される上記予約情報は、入庫ＩＤと予約駐車場情報とを含んでおり、上記駐車場を予約した車両が上記駐車場に入庫する際には、上記入庫ＩＤを照会して駐車場への入庫を許可している。
【００１０】
上記構成とすると、駐車場の予約を得た車両が受信した上記予約情報に示された予約駐車場に行った際に、車載機が受信した入庫ＩＤを照会することで、確かに予約を得た車両だけを入庫させることができ、不正使用等のトラブルを回避することができる。
【００１１】
【発明の実施の形態】
本発明の実施形態を図面を参照して説明する。
本実施形態の駐車場予約システムは、図１に示すように、車載機１６を搭載した車両１２、１３と、駐車場装置２７を有する駐車場１４、１５とをネットワークＮを介してサーバ１１に接続している。
【００１２】
各車両１２、１３に搭載された車載機１６は、図２に示すように、演算制御手段１７と、ネットワークＮに無線接続する無線通信手段１８と、記憶手段１９と、車両の現在位置を取得するＧＰＳ（Ｇｌｏｂａｌ  Ｐｏｓｉｔｉｏｎｉｎｇ  Ｓｙｓｔｅｍ）受信手段２０と、入力手段２１と、表示手段２２とを備えている。
サーバ１１は、図３に示すように、演算制御手段２４と、ネットワークＮと接続する通信手段２５と、複数の駐車場１４、１５の空車情報を記憶・更新している駐車場データベース２６とを備えている。
駐車場装置２７は、図４に示すように、演算制御手段２８と、ネットワークＮと接続する通信手段２９と、車載機１６との間で無線通信する無線通信手段３０と、駐車場１４、１５の空車状況を取得する空車検出手段３１とを備えている。
【００１３】
次に、駐車場１４、１５を車載機１６から予約する際の手順について説明する。
駐車場１４、１５に備えられた駐車場装置２７は、空車検出手段３１で検出された入出庫状況に応じて、駐車場ＩＤと空車情報の各データを有する空車情報パケットＰ３、Ｐ４を通信手段２９からネットワークＮを介してサーバ１１に送信し、駐車場データベース２６に記憶された各駐車場１４、１５の空車情報を随時更新している。
【００１４】
駐車場の利用を希望している車両１２、１３の運転者は、希望する駐車場利用金額を入札料金として車載機１６の入力手段２１に入力すると共に、支払うことのできる上限値を最大許容料金として入力する。
車両１２、１３の車載機１６は、図５に示すように、自己の車両ＩＤと、上記入札料金と、ＧＰＳ受信手段２０から取得した現在の車両位置と、上記最大許容料金の各データを有する応募情報パケットＰ１、Ｐ２を無線通信手段１８からネットワークＮを介してサーバ１１に送信する。
【００１５】
サーバ１１は、各車載機１６から受信した応募情報パケットＰ１、Ｐ２の各入札料金を比較して、最も高い料金を示す車両１３の車載機１６に対して、車両１２、１３の存在位置から一定のエリア内にある駐車場１４を落札した旨の予約情報パケットＰ５を上記車両ＩＤを基にして送信する。なお、予約情報Ｐ５は、予約駐車場と入庫ＩＤと落札料金の各データを有している。
それと共にサーバ１１は、予約された駐車場１４に対しても車載機１６に送信された入庫ＩＤと同様の入庫ＩＤパケットＰ６を送信する。
なお、入札料金が他の車両より低い場合でも、最大許容料金が当該他の車両より高い場合には、最大許容料金の高い車両に予約を与えるようにしてもよい。
【００１６】
駐車場１４の予約を得た車両１３が駐車場１４に入庫する際には、車載機１６の無線通信手段１８と駐車場装置２７の無線通信手段３０との間で上記入庫ＩＤを照会処理を行い、正しい入庫ＩＤを確認できた場合には駐車場１４への入庫を許可する。
【００１７】
上記構成とすると、サーバ１１において複数の車両１２、１３の車載機１６から受信された応募情報パケットＰ１、Ｐ２を基にオークションを行い、最も高い料金を提示した車両１３に駐車場１４の予約を与えるようにしているので、駐車場業者は収益を向上させることができる。一方、駐車場１４、１５の利用者である運転者にとっても、高い入札料金を設定することで緊急時や混雑時などでも駐車場１４、１５を確保できる確率がアップし、駐車場利用の利便性を向上させることができる。
【００１８】
上述した方法では、最も高い入札料金あるいは最大許容料金を提示した車両１２、１３に予約を与えているが、駐車場１４、１５から最も近い所に存在する車両１２、１３に予約を与えるようにしてもよい。
つまり、車両１２、１３から送信された応募情報パケットＰ１、Ｐ２の車両位置を比較して、車両１３から最も近い位置に存在する駐車場１４の予約を与える。
【００１９】
上記構成とすると、サーバ１１で駐車場１４から最も近くに存在する車両１３を選択して駐車場１４の予約を与えることができ、駐車場１４の空車時間が低減されて利用効率が上がり収益性も向上する。一方、駐車場の利用者である運転者にとっても、最も近くの駐車場１４を紹介してくれるので、駐車場１４に行き着くまでの時間を短縮でき利便性を向上させることができる。
【００２０】
【発明の効果】
以上の説明より明らかなように、本発明によれば、サーバにおいて複数の車両の車載機から受信した応募情報を基にオークションを行い、最も高い料金を提示した車両に駐車場の予約を与えることで駐車場業者の収益が向上する。かつ、駐車場利用者にとっても、高い料金を設定することで緊急時や混雑時などでも駐車場を確保できる確率がアップし利便性が向上する。
また、現在の車両位置を応募情報に含めて車載機から送信し、駐車場から最も近くに存在する車両に駐車場の予約を与えることで、駐車場の空車時間が低減され利用効率が向上する。かつ、駐車場利用者にとっても、最も近くの駐車場を紹介してくれるので、時間が節約でき利便性が向上する。
【図面の簡単な説明】
【図１】本発明の実施形態の駐車場予約システムを示す全体図である。
【図２】車載機のブロック図である。
【図３】サーバのブロック図である。
【図４】駐車場装置のブロック図である。
【図５】データ送受を説明する図面である。
【図６】従来例を示すブロック図である。
【符号の説明】
１０        駐車場予約システム
１１        サーバ
１２、１３  車両
１４、１５  駐車場
１６        車載機
１７        演算制御手段
１８        無線通信手段
１９        記憶手段
２０        ＧＰＳ受信手段（自車位置取得手段）
２１        入力手段
２２        表示手段
２４        演算制御手段
２５        通信手段
２６        駐車場データベース
２７        駐車場装置
２８        演算制御手段
２９        通信手段
３０        無線通信手段
３１        空車検出手段
Ｐ１〜Ｐ６  パケット
【図１】
2004348632.tif 000003
【図２】
2004348632.tif 000004
【図３】
2004348632.tif 000005
【図４】
2004348632.tif 000006
【図５】
2004348632.tif 000007
【図６】
2004348632.tif 000008